(57)【要約】【課題】ポット口部に栓が二条ネジ構造により嵌合されたポットにおいて、栓に前後の方向性があっても常にその方向性に従ったネジ嵌合が行えるようにすることである。【課題解決手段】栓６に形成された二条雄ネジ１３は断面形状においてそれぞれ相違する２本の雄ネジＡ1、Ａ2の組み合わせにより形成され、ポット口部２側の二条雌ネジ５は前記二条雄ネジン１３に対応した断面形状と組み合わせをもった２本の雌ネジＢ1、Ｂ2の組み合わせにより形成され、栓６が一定の向きにある場合にのみ前記の対応関係が整合状態となりネジ嵌合が可能となるようにした。【選択図】図４
2006124012.tif 000002
【特許請求の範囲】
【請求項１】
容器本体の口部にネジ構造により栓を着脱自在に嵌合してなり、前記栓の閉栓時又は開栓時の向きに一定の方向性が定められた液体容器の栓構造において、前記ネジ構造が栓外周面の多条雄ネジと、これに対応した口部内周面の多条雌ネジとにより構成され、前記多条雄ネジはネジ幅、ネジ高さ等のネジ要素の点で断面形状においてそれぞれ相違する複数の雄ネジの組み合わせにより形成され、前記多条雌ネジは前記多条雄ネジに対応した断面形状と組み合わせをもった複数の雌ネジの組み合わせにより形成され、前記栓が一定の向きにある場合にのみ前記の対応関係が整合状態となりネジ嵌合が可能となるようにしたことを特徴とする液体容器の栓構造。
【請求項２】
前記栓の方向性は、その栓外周面に設けられた通水溝が容器本体の注ぎ口を向く方向を前向きとするように定められたものであり、前記栓が後向きに嵌合されたときにのみ前記多条雄ネジと多条雌ネジの対応関係が整合し、そのネジ嵌合の開始から１回転で嵌合の終端に達するように構成されたことを特徴とする請求項１に記載の液体容器の栓構造。
【請求項３】
前記ネジ嵌合の終端において該栓に装着したパッキンが容器本体の口部内周に押し付けられてシールを行うことを特徴とする請求項２に記載の液体容器の栓構造。
【発明の詳細な説明】
【技術分野】
【０００１】
この発明は、ポットなどの液体容器における栓構造に関し、特にそのネジ嵌合に関するものである。
【背景技術】
【０００２】
液体容器の栓は、ネジ嵌合により容器口部に着脱自在に嵌合され、使用者が栓を回転させて開栓し、容器本体を傾けて注ぎ口から湯などの液体を注ぎ出し、注ぎ出し後は逆方向に回転させて閉栓するようになっている。
【０００３】
上記のネジ嵌合構造は、一条ネジにより構成されるのが普通であるが、栓の回転量を少なくしても十分な開栓高さ（リフト）が得られるようにするため、リードの大きい一条ネジにより構成すると、栓をネジ嵌合する当初の段階において栓が傾き易く脱落を生じることがある。一方、多条ネジを用いれば、大きなリフトが得られるとともにネジ嵌合当初における栓の姿勢も安定する利点がある。
【０００４】
従来、多条ネジを利用して専らネジ嵌合の当初における栓の姿勢の安定を考慮した保温容器が知られている（特許文献１参照）。この場合は、栓に多条雄ネジを形成するとともに容器口部に一条の雌ネジを形成したものであり、一条雌ネジのネジ溝に複数本の雄ネジが嵌合されるように構成される。このネジ構造によると、ネジ嵌合の当初においては多条雄ネジの複数のネジ口のいずれかにおいてネジ嵌合が開始されるので、栓の姿勢が安定する効果がある。なお、この場合、一条雌ネジのリードを大きく設定すると栓のリフトも大きくすることができる。
【特許文献１】特開平９−１７３２２１号公報（段落００１５、００１８図２、図４）
【発明の開示】
【発明が解決しようとする課題】
【０００５】
閉栓状態にある栓を一定方向に回転させて開栓させる場合、開栓時の栓の向きに特にこだわる必要のない場合は、多条ネジ構造を採用することに問題はなく、大きなリフトが得られ、かつネジ嵌合の初期に栓が安定する等のメリットが得られる。しかし、多条ネジ構造においては、前述のようにネジ口がネジの数だけあって、そのうちのどのネジ口においてもネジ嵌合が開始されるので、方向性のある栓の場合は次のような不便がある。
【０００６】
即ち、通水溝が設けられた栓は、開栓時においてその通水溝を容器前部に設けた注ぎ口に一致する向き（前向き）に向ける必要がある。従って、例えば閉栓時においては通水溝が後方を向くように後向きに締めておき、開栓時は前向きとなるようにこれを半回転させる必要がある。
【０００７】
このような方向性のある栓に多条ネジ構造を採用した場合、栓は複数のネジ口からネジ嵌合を開始するため栓の方向が定まらず、例えば、閉栓状態で前向きに締められる場合があり得、その状態から開栓させるべく半回転させた場合に栓が後向きとなって、注水ができないか、できたとしても不完全な注水となる問題がある。
【０００８】
そこで、この発明は多条ネジ構造を用いて大きなリフトが得られるようにする一方、方向性のある栓に適応できる液体容器の栓構造を提供することを課題とする。
【課題を解決するための手段】
【０００９】
上記の課題を解決するために、この発明は、容器本体の口部にネジ構造により栓を着脱自在に嵌合してなり、前記栓の閉栓時又は開栓時の向きに一定の方向性が定められた液体容器の栓構造において、前記ネジ構造が栓外周面の多条雄ネジと、これに対応した口部内周面の多条雌ネジとにより構成され、前記多条雄ネジはネジ幅、ネジ高さ等のネジ要素の点で断面形状においてそれぞれ相違する複数の雄ネジの組み合わせにより形成され、前記多条雌ネジは前記多条雄ネジに対応した断面形状と組み合わせをもった複数の雌ネジの組み合わせにより形成され、前記栓が一定の向きにある場合にのみ前記の対応関係が整合状態となりネジ嵌合が可能となるようにしたものである。
【００１０】
上記の構成によると、栓外周面の多条雄ネジと容器口部の多条雌ネジ相互は、栓が特定の向きにおいてのみ整合しネジ嵌合が開始される。従って、その嵌合開始位置を基準として栓の向きを定めることができる。例えば、嵌合開始位置において栓の向きが後向きとなるように定めることにより、その状態から１回転させて閉栓状態とすることができ、その閉栓状態から逆方向に半回転させると栓は開栓されるとともに前向きとなり、正常な注水が行われる。
【発明の効果】
【００１１】
以上のように、この発明によれば、容器口部に対し栓が多条ネジ構造によって嵌合されるので、栓のリフトが大きい利点があるとともに、方向性のある栓を常に所定の向きに嵌合させることができるので、開栓時において支障なく注水を行うことができる。
【発明を実施するための最良の形態】
【００１２】
以下、添付図面に基づいてこの発明の実施をするための最良の形態を説明する。図１及び図２に示したように、実施の形態１のポット１は、口部２を経てポット内部に連通した注ぎ口３がその前部に設けられ、後部にハンドル４が設けられる。口部２はポット１の内部に垂下した円筒状に形成され、その内周面に角ネジでなる二条雌ネジ５が設けられる。
【００１３】
口部２にネジ嵌合される栓６は、図２、図３に示したように、蓋部７の下面中央部に下端閉塞の円筒状の栓部８を設けたものである。蓋部７の外周縁に後方に向けて突き出した突片９が設けられ、その突片９が栓６の向きを示す。即ち、突片９がハンドル４の方向を向いた状態が後向きであり、逆に注ぎ口３の方向を向いた状態が前向きである。蓋部７の上面外周縁に全周にわたる飾縁１１が設けられ、その飾縁１１の前記突片９の反対側において部分的な切欠き部１２が設けられる。この切欠き部１２も栓６の向きを表示する。
【００１４】
前記栓６の栓部８の外周面には前記口部２の二条雌ネジ５に対応した角ネジでなる二条雄ネジ１３が設けられる。栓部８の上端には蓋部７の下面に接してパッキン１４が装着される（図３参照）。また、栓部８の下端からパッキン１４の下部までの間に上下方向の通水溝１５が二条雄ネジ１３を横断して形成される。栓６が前向きになったとき、通水溝１５が前向きとなり、その上端が注ぎ口３に開放される。栓６が前向き以外の向きであるときは、通水溝１５が注ぎ口３から離れるので、その状態でポット１を前方に傾けても注水はできないか、できたとしても不完全な注水となる。
【００１５】
前記の二条雄ネジ１３は、図４（ａ）に示したように、同じ高さＨで幅Ｗ1の雄ネジＡ1と、幅Ｗ2（＜Ｗ1）の雄ネジＡ2よりなる。これらの雄ネジＡ1、Ａ2のネジ口ａ1、ａ2（図４（ａ）参照）は栓部８の下端外周面において１８０度位置を異にして設けられる。各雄ネジＡ1、Ａ2はそれらのネジ口ａ1、ａ2から３６０度弱の範囲にわたり形成されその上端はパッキン１４の下方に達する（図３参照）。
【００１６】
一方、前記口部２に設けられた二条雌ネジ５は、前記の二条雄ネジ１３の高さＨと実質的に同じ深さをもち、実質的にＷ1に等しい幅の雌ネジＢ1及び実質的にＷ2（＜Ｗ1）に等しい幅の雌ネジＢ2よりなる。これらの雌ネジＢ1、Ｂ2のネジ口ｂ1、ｂ2（図４（ｂ）参照）は口部２の上下方向の中間部において１８０度位置を異にして設けられる。各雌ネジＢ1、Ｂ2はそれらのネジ口ｂ1、ｂ2から３６０度弱の範囲にわたり形成され、その下端は口部２の下端に達する。
【００１７】
前記のように、雄ネジＡ1と雌ネジＢ1は、実質的に等しい幅Ｗ1を有するとともに、雄ネジＡ2と雌ネジＢ2は実質的に等しい幅Ｗ2を有し、かつＷ2＜Ｗ1の関係にあるので、ネジ口ａ1とｂ1、ａ2とｂ2はそれぞれ断面形状が一致するので、これらを対向させると整合状態となり栓６を口部２にネジ嵌合させることができる。しかし、ネジ口ａ1とネジ口ｂ2、ネジ口ａ2とネジ口ｂ1が対向した場合（図４（ｃ）の二点鎖線参照）は、ネジ口ｂ2の幅Ｗ2に比べネジ口ａ1の幅Ｗ1の方が大である（Ｗ2＜Ｗ1）ので断面形状が一致しない。即ち、不整合状態となりネジ嵌合させることはできない。
【００１８】
そこで、ネジ嵌合の開始時における栓６の向きが後向き（突片９がハンドル４側を向く向き）となったときにネジ口ａ1とｂ1、ａ2とｂ2とが整合状態となるように設定する。その姿勢で栓６のネジ嵌合を開始して３６０度回転させるとパッキン１４が口部２の上端内周縁に密着して閉栓状態となる（図４（ｄ）及び図５の実線参照）。この状態から栓６を１８０度逆回転させると、栓６が前向きとなってパッキン１４が口部２から離れるともに通水溝１５が注ぎ口３の方向を向き開栓状態となる（図４（ｅ）及び図５の二点鎖線参照）。注水後栓６を１８０度戻すと後向きとなって閉栓状態となる（図４（ｆ）、図５の実線参照）。
【００１９】
次に、図６（ａ）〜（ｄ）に示した実施の形態２は、口部２に角ネジでなる二条雌ネジ５を設け、栓６にこれに対応した角ネジでなる二条雄ネジ１３を設けた点で前記の実施の形態１と同じである。しかし、この実施の形態２においては、二条雄ネジ１３を構成する各雄ネジＣ1、Ｃ2は同一の幅Ｗを有し、これに対応した二条雌ネジ５の各雌ネジＤ1、Ｄ2も実質的にこれに等しい同一の幅Ｗを有する。これに対し、雄ネジＣ1の高さＨ1は、雄ネジＣ2の高さＨ2より大である（Ｈ1＞Ｈ2）。
【００２０】
これらの雄ネジＣ1、Ｃ2のネジ口ａ1、ａ2は栓部８の下端外周面において１８０度位置を異にして設けられ、各雄ネジＣ1、Ｃ2はそれらのネジ口ａ1、ａ2から３６０度弱の範囲にわたり形成されその上端はパッキン１４の下方に達する。また、雌ネジＤ1、Ｄ2のネジ口ｂ1、ｂ2は口部２の上下方向の中間部において１８０度位置を異にして設けられ、各雌ネジＤ1、Ｄ2はそれらのネジ口ｂ1、ｂ2から３６０度弱の範囲にわたり形成され、その下端は口部２の下端に達する。図６（ｃ）（ｄ）は雌ネジＤ1のネジ口ｂ1と、雌ネジＤ2のネジ口ｂ2を示している。
【００２１】
前記のように、ネジ口ａ1を有する雄ネジＣ1の高さと、ネジ口ｂ1を有する雌ネジＤ1の高さはＨ1で一致し、ネジ口ａ2を有する雄ネジＣ2の高さと、ネジ口ｂ2を有する雌ネジＤ2の高さはＨ2で一致するため、図６（ｃ）に示したように、これらのネジ口ａ1とｂ1、ａ2とｂ2は断面形状が一致する整合状態となり、ネジ嵌合を開始することが可能となる。この関係が逆になって、図６（ｄ）に示したように、ネジ口ａ1とｂ2、ａ2とｂ1とが対向した場合は断面形状が不一致となって整合せず、ネジ嵌合を開始することができない。
【００２２】
そこで、ネジ嵌合可能な整合状態において栓６の向きを後向きに定めネジ嵌合を開始し３６０度回転させて閉栓状態とする（図４（ｄ）及び図５の実線状態参照）。その状態から逆に１８０度回転させて開栓状態とする（図４（ｅ）及び図５の二点鎖線状態参照）。この状態から１８０度戻すと閉栓状態となる（図４（ｆ）及び図５の実線参照）。
【００２３】
以上の各実施形態は、角ネジの二条ネジ構造について述べたが、丸ネジその他の形状のネジを用いた多条ネジにより構成することができる。
【００２４】
さらに、図７に示したように、角ネジ１６と丸ネジ１７のように断面形状の異なる組み合わせによって多条ネジを構成したものでもよい。
【図面の簡単な説明】
【００２５】
【図１】実施の形態１のポットを示す斜視図
【図２】同上の分解斜視図
【図３】同上の栓の斜視図
【図４】（ａ）同上のネジ嵌合部分の断面図、（ｂ）（ａ）図の部分の展開図、（ｃ）（ａ）図の部分の分解状態における展開図、（ｄ）〜（ｆ）栓の部分開閉状態の説明図
【図５】同上の栓の部分の断面図
【図６】（ａ）実施の形態２の栓部分の断面図、（ｂ）（ａ）図の部分の展開図、（ｃ）〜（ｄ）ネジ嵌合の説明図
【図７】他の実施の形態の栓部分の断面図
【符号の説明】
【００２６】
１  ポット
２  口部
３  注ぎ口
４  ハンドル
５  二条雌ネジ
６  栓
７  蓋部
８  栓部
９  突片
１１  飾縁
１２  切欠き部
１３  二条雄ネジ
１４  パッキン
１５  通水溝
１６  角ネジ
１７  丸ネジ
【図１】
2006124012.tif 000003
【図２】
2006124012.tif 000004
【図３】
2006124012.tif 000005
【図４】
2006124012.tif 000006
【図５】
2006124012.tif 000007
【図６】
2006124012.tif 000008
【図７】
2006124012.tif 000009